【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
陰圧創傷療法装置であって、
第一の被覆材部分と、前記第一の被覆材部分の上に重なる第二の被覆材部分と、を含み、
前記第一の被覆材部分が、
創傷および／または創傷を囲む皮膚と接触して位置付けられるように構成された組織接触層であって、前記組織接触層の周縁部に第一の境界部分を含む、組織接触層、
第一のスペーサ層、および、
第一のアパーチャを含む第一の裏当て層であって、前記第一の裏当て層の周縁部に第二の境界部分を含み、前記スペーサ層が前記組織接触層と前記第一の裏当て層との間に位置付けられ、前記組織接触層の前記第一の部分が前記第一の裏当て層の前記第二の境界部分に封止される、第一の裏当て層、を含み、
前記第二の被覆材部分が、
第二のアパーチャを含む中間ドレープであって、前記中間ドレープの周縁部に第三の境界部分を含む、中間ドレープ、
吸収層、および、
前記第二の裏当て層の周縁部に第四の境界部分を含む第二の裏当て層であって、前記吸収層が前記中間ドレープと前記第二の裏当て層との間に位置付けられ、前記中間ドレープの前記第三の境界部分が前記第二の裏当て層の前記第四の境界部分に封止される、第二の裏当て層、を含み、
前記第二の被覆材部分が、前記第一のアパーチャと前記第二のアパーチャとが流体接続されるように前記第一の被覆材部分に取り付けられ、前記第一の裏当て層の前記第二の境界部分が前記中間ドレープの前記第三の境界部分に取り付けられていない、陰圧創傷療法装置。
【請求項２】
前記第二の裏当て層内の第三のアパーチャの上に前記第二の裏当て層に取り付けられた吸引ポートをさらに含む、請求項１に記載の陰圧創傷療法装置。
【請求項３】
液体が前記吸引ポートに入るのを防止または阻止するように構成されたフィルタをさらに含む、請求項２に記載の陰圧創傷療法装置。
【請求項４】
前記第二の裏当て層内の前記第三のアパーチャを通して陰圧を適用するように構成された陰圧源をさらに備え、前記第一、第二のおよび第三のアパーチャが互いに流体連通し、前記陰圧源と前記創傷との間の流体連通を提供するように構成される、請求項２または３に記載の陰圧創傷療法装置。
【請求項５】
前記第一のスペーサ層が発泡体を含む、請求項１〜４のいずれか一項に記載の陰圧創傷療法装置。
【請求項６】
前記吸収層が超吸収材を含む、請求項１〜５のいずれか一項に記載の陰圧創傷療法装置。
【請求項７】
第二のスペーサ層をさらに含み、前記第二のスペーサ層が前記吸収層と前記中間ドレープとの間に位置付けられ、任意で、前記第二のスペーサ層が３Ｄ織物を含む、請求項１〜６のいずれか一項に記載の陰圧創傷療法装置。
【請求項８】
前記第一の裏当て層が前記第一の裏当て材料が屈曲できるように構成された可撓性材料または追加的材料を含む、請求項１〜７のいずれか一項に記載の陰圧創傷療法装置。
【請求項９】
前記第一のスペーサ層が複数のスリットを含む、請求項１〜８のいずれか一項に記載の陰圧創傷療法装置。
【請求項１０】
前記吸収層を貫通する貫通孔をさらに含み、任意で、前記貫通孔が、前記第二の裏当て層に取り付けられた吸引ポートの下方に整列される、請求項１〜９のいずれか一項に記載の陰圧創傷療法装置。
【請求項１１】
前記第二の裏当て層が透湿性材料を含む、請求項１〜１０のいずれか一項に記載の陰圧創傷療法装置。
【請求項１２】
前記組織接触層、前記第一の裏当て層、前記中間ドレープ、および前記第二の裏当て層が全て、実質的に同一の外周寸法および形状を有する、請求項１〜１１のいずれか一項に記載の陰圧創傷療法装置。
【請求項１３】
前記第一の裏当て層が、前記第一のアパーチャの周りの領域および前記第二のアパーチャの周りの領域において前記中間ドレープに取り付けられるように構成される、請求項１〜１２のいずれか一項に記載の陰圧創傷療法装置。
【請求項１４】
前記第一のスペーサ層が、前記組織接触層および前記第一の裏当て層よりも小さい外周寸法を有する、請求項１〜１３のいずれか一項に記載の陰圧創傷療法装置。
【請求項１５】
前記第一のスペーサ層が、長方形、角丸長方形、レーストラック形、楕円形、円形、三角形、または不規則形状を有する、請求項１〜１４のいずれか一項に記載の陰圧創傷療法装置。
【請求項１６】
前記第二の裏当て層内の前記第三のアパーチャが、前記第二の裏当て層の中央領域に配置される、請求項２〜１５のいずれか一項に記載の陰圧創傷療法装置。
【請求項１７】
前記第二の裏当て層内の前記第三のアパーチャが、前記第二の裏当て層の端部領域に配置される、請求項２〜１５のいずれか一項に記載の陰圧創傷療法装置。
【請求項１８】
前記第二の裏当て層内の前記第三のアパーチャが、前記第二の裏当て層の角に配置される、請求項２〜１５のいずれか一項に記載の陰圧創傷療法装置。
【請求項１９】
前記組織接触層が、前記第一の裏当て層の下の領域全体にわたって延在する、請求項１〜１８のいずれか一項に記載の陰圧創傷療法装置。
【請求項２０】
前記組織接触層が、流体が前記組織接触層を通って流れることができるアパーチャ、孔、またはパーフォレーションを含む、請求項１〜１９のいずれか一項に記載の陰圧創傷療法装置。
【手続補正２】
【補正対象書類名】明細書
【補正対象項目名】００７５
【補正方法】変更
【補正の内容】
【００７５】
本開示に記載する実装に対する様々な変形は、当業者には容易に明らかとなってもよく、本明細書に定義する全体的な原理は、本開示の精神または範囲を逸脱することなく、他の実装に適用されてもよい。それゆえ、開示は、本明細書に示す実装に限定することは意図していないが、本明細書に記載する原理および特徴と一致する、最も広い範囲が与えられるべきである。開示のある実施形態は、以下に列挙する、または後に提示する請求項の組に網羅される。
［付記項１］
陰圧創傷療法装置であって、
第一の被覆材部分と、前記第一の被覆材部分の上に重なる第二の被覆材部分と、を含み、
前記第一の被覆材部分が、
創傷および／または創傷を囲む皮膚と接触して位置付けられるように構成された組織接触層であって、前記組織接触層の周縁部に第一の境界部分を含む、組織接触層、
第一のスペーサ層、および、
第一のアパーチャを含む第一の裏当て層であって、前記第一の裏当て層の周縁部に第二の境界部分を含み、前記スペーサ層が前記組織接触層と前記第一の裏当て層との間に位置付けられ、前記組織接触層の前記第一の部分が前記第一の裏当て層の前記第二の境界部分に封止される、第一の裏当て層、を含み、
前記第二の被覆材部分が、
第二のアパーチャを含む中間ドレープであって、前記中間ドレープの周縁部に第三の境界部分を含む、中間ドレープ、
吸収層、および、
前記第二の裏当て層の周縁部に第四の境界部分を含む第二の裏当て層であって、前記吸収層が前記中間ドレープと前記第二の裏当て層との間に位置付けられ、前記中間ドレープの前記第三の境界部分が前記第二の裏当て層の前記第四の境界部分に封止される、第二の裏当て層、を含み、
前記第二の被覆材部分が、前記第一のアパーチャと前記第二のアパーチャが流体接続されるように前記第一の被覆材部分に取り付けられ、前記第一の裏当て層の前記第二の境界部分が前記中間ドレープの前記第三の境界部分に取り付けられていない、陰圧創傷療法装置。
［付記項２］
前記第二の裏当て層内の第三のアパーチャの上に前記第二の裏当て層に取り付けられた吸引ポートをさらに含む、付記項１に記載の陰圧創傷療法装置。
［付記項３］
液体が前記吸引ポートに入るのを防止または阻止するように構成されたフィルタをさらに含む、付記項２に記載の陰圧創傷療法装置。
［付記項４］
前記第二の裏当て層内の前記第三のアパーチャを通して陰圧を適用するように構成された陰圧源をさらに備え、前記第一、第二のおよび第三のアパーチャが互いに流体連通し、前記陰圧源と前記創傷との間の流体連通を提供するように構成される、付記項２〜３のいずれか一項に記載の陰圧創傷療法装置。
［付記項５］
前記第一のスペーサ層が発泡体を含む、付記項１〜４のいずれか一項に記載の陰圧創傷療法装置。
［付記項６］
前記吸収層が超吸収材を含む、付記項１〜５のいずれか一項に記載の陰圧創傷療法装置。
［付記項７］
第二のスペーサ層をさらに含み、前記第二のスペーサ層が前記吸収層と前記中間ドレープとの間に位置付けられる、付記項１〜６のいずれか一項に記載の陰圧創傷療法装置。
［付記項８］
前記第二のスペーサ層が３Ｄ織物を含む、付記項７に記載の陰圧創傷療法装置。
［付記項９］
前記第一の裏当て層が前記第一の裏当て材料が屈曲できるように構成された可撓性材料または追加的材料を含む、付記項１〜８のいずれか一項に記載の陰圧創傷療法装置。
［付記項１０］
前記第一のスペーサ層が複数のスリットを含む、付記項１〜９のいずれか一項に記載の陰圧創傷療法装置。
［付記項１１］
前記吸収層を貫通する貫通孔をさらに含む、付記項１〜１０のいずれか一項に記載の陰圧創傷療法装置。
［付記項１２］
前記貫通孔が、前記第二の裏当て層に取り付けられた吸引ポートの下方に整列される、付記項１１に記載の陰圧創傷療法装置。
［付記項１３］
前記第二の裏当て層が透湿性材料を含む、付記項１〜１２のいずれか一項に記載の陰圧創傷療法装置。
［付記項１４］
前記組織接触層、前記第一の裏当て層、前記中間ドレープ、および前記第二の裏当て層が全て、実質的に同一の外周寸法および形状を有する、付記項１〜１３のいずれか一項に記載の陰圧創傷療法装置。
［付記項１５］
前記第一の裏当て層が、前記第一のアパーチャの周りの領域および前記第二のアパーチャの周りの領域において前記中間ドレープに取り付けられるように構成される、付記項１〜１４のいずれか一項に記載の陰圧創傷療法装置。
［付記項１６］
前記第一のスペーサ層が、前記組織接触層および前記第一の裏当て層よりも小さい外周寸法を有する、付記項１〜１５のいずれか一項に記載の陰圧創傷療法装置。
［付記項１７］
前記第一のスペーサ層が、長方形、角丸長方形、レーストラック形、楕円形、円形、三角形、または不規則形状を有する、付記項１〜１６のいずれか一項に記載の陰圧創傷療法装置。
［付記項１８］
前記第二の裏当て層内の前記第三のアパーチャが、前記第二の裏当て層の中央領域に配置される、付記項２〜１７のいずれか一項に記載の陰圧創傷療法装置。
［付記項１９］
前記第二の裏当て層内の前記第三のアパーチャが、前記第二の裏当て層の端部領域に配置される、付記項２〜１７のいずれか一項に記載の陰圧創傷療法装置。
［付記項２０］
前記第二の裏当て層内の前記第三のアパーチャが、前記第二の裏当て層の角に配置される、付記項２〜１７のいずれか一項に記載の陰圧創傷療法装置。
［付記項２１］
前記組織接触層が、前記第一の裏当て層の下の領域全体にわたって延在する、付記項１〜２０のいずれか一項に記載の陰圧創傷療法装置。
［付記項２２］
前記組織接触層が、流体が前記組織接触層を通って流れることができるアパーチャ、孔、またはパーフォレーションを含む、付記項１〜２１のいずれか一項に記載の陰圧創傷療法装置。
［付記項２３］
陰圧創傷療法装置を用いて創傷を治療する方法であって、
前記創傷の上に創傷被覆材を位置付けることであって、前記創傷被覆材が、
第一の部分および第二の部分を含み、前記第一の部分が、
創傷および／または創傷を囲む皮膚と接触して位置付けられるように構成された組織接触層であって、前記組織接触層の周縁部に第一の境界部分を含む、組織接触層、
第一のスペーサ層、および、
第一のアパーチャを含む第一の裏当て層であって、前記第一の裏当て層の周縁部に第二の境界部分を含み、前記スペーサ層が前記組織接触層と前記第一の裏当て層との間に位置付けられ、前記組織接触層の前記第一の部分が前記第一の裏当て層の前記第二の境界部分に封止される、第一の裏当て層、を含み、
前記第二の被覆材部分が、
第二のアパーチャを含む中間ドレープであって、前記中間ドレープの周縁部に第三の境界部分を含む、中間ドレープ、
吸収層、および、
前記第二の裏当て層の周縁部に第四の境界部分を含む第二の裏当て層であって、前記吸収層が前記中間ドレープと前記第二の裏当て層との間に位置付けられ、前記中間ドレープの前記第三の境界部分が前記第二の裏当て層の前記第四の境界部分に封止される、第二の裏当て層、を含み、
前記第二の被覆材部分が、前記第一のアパーチャと前記第二のアパーチャが流体接続されるように前記第一の被覆材部分に取り付けられ、前記第一の裏当て層の前記第二の境界部分が前記中間ドレープの前記第三の境界部分に取り付けられておらず、
前記カバー層の第三のアパーチャを通して陰圧を適用し、前記第一、第二、および第三のアパーチャが、陰圧源と前記創傷との間の流体連通を提供する、方法。